(57)【要約】      （修正有）【課題】水素発生剤のような液体反応剤を特別なシール構造を用いることなく液体と接触しないように収容し、なおかつ簡単な構造で使用者が使用開始直前に液体反応剤と液体とを接触させることができるようにした液体容器を提供する。【解決手段】液体容器は、液体容器本体１０と、第１キャップ構造体２０と、第２キャップ構造体とを備える。液体容器本体は、雄ネジ付き筒状頭部１２を上部に有し、内部に液体を収容する。第１キャップ構造体は、液体に接触して反応する液体反応剤２８を収容し、液体容器本体の筒状頭部の雄ネジに螺合する雌ネジを介して液体容器本体の上部に着脱可能に装着される。第２キャップ構造体は、液体を噴霧する機構を有し、液体容器本体の雄ネジに螺合する雌ネジを介して液体容器本体の上部に着脱可能に装着される。【選択図】図３
0003229780.tif 000002
【実用新案登録請求の範囲】
【請求項１】
雄ネジ付き筒状頭部を上部に有し、内部に液体を収容する液体容器本体と、
液体に接触して反応する液体反応剤を収容し、前記液体容器本体の筒状頭部の雄ネジに螺合する雌ネジを介して前記液体容器本体の上部に着脱可能に装着される第１キャップ構造体と、
液体を噴霧する機構を有し、前記液体容器本体の雄ネジに螺合する雌ネジを介して前記液体容器本体の上部に着脱可能に装着される第２キャップ構造体とを備える、液体容器。
【請求項２】
前記第１キャップ構造体は、前記雌ネジを有する第１固定部と、前記第１固定部に上下動可能に保持される第１移動部とを備え、
前記第１固定部は、前記液体容器本体の筒状頭部を下方から受け入れる円周溝と、前記円周溝よりも径方向内側で上下方向に延びる中央穴と、前記中央穴の下方端を閉塞する薄膜とを備え、
前記液体反応剤は、前記薄膜によって下方端が閉塞されている前記中央穴内に収容されており、
前記第１移動部は、前記中央穴内を上下動可能な軸部と、前記中央穴よりも上方の位置で前記軸部に取り付けられた押込み操作部と、前記薄膜に下方に向く局所荷重を与えて薄膜を切り開くために前記軸部の下方端に設けられた尖鋭部とを備える、請求項１に記載の液体容器。
【請求項３】
前記第２キャップ構造体は、前記雌ネジを有する第２固定部と、前記第２固定部に保持される第２移動部とを備え、
前記第２移動部は、前記液体容器本体内の液体を吸引して外部に噴霧するノズルを備える、請求項１または２に記載の液体容器。
【請求項４】
前記液体容器本体内に収容されている液体は化粧水であり、
前記液体反応剤は、水に接触して水素を発生する水素発生剤である、請求項１〜３のいずれか１項に記載の液体容器。
【請求項５】
雄ネジ付き筒状頭部を上部に有する液体容器本体の上部開口を閉塞するキャップ構造体であって、
前記雄ネジに螺合する雌ネジを有し、前記液体容器本体の上部に着脱可能に装着される固定部と、
前記固定部に上下動可能に保持される移動部とを備え、
前記固定部は、前記液体容器本体の筒状頭部を下方から受け入れる円周溝と、前記円周溝よりも径方向内側で上下方向に延びる中央穴と、前記中央穴の下方端を閉塞する薄膜とを備え、
液体に接触して反応する液体反応剤が、前記薄膜によって下方端が閉塞されている前記中央穴内に収容されており、
前記移動部は、前記中央穴内を上下動可能な軸部と、前記中央穴よりも上方の位置で前記軸部に取り付けられた押込み操作部と、前記薄膜に下方に向く局所荷重を与えて薄膜を切り開くために前記軸部の下方端に設けられた尖鋭部とを備える、液体容器用キャップ構造体。
【請求項６】
前記液体反応剤は、水に接触して水素を発生する水素発生剤である、請求項５に記載の液体容器用キャップ構造体。
【考案の詳細な説明】
【技術分野】
【０００１】
本考案は、化粧水等の液体を収容する液体容器に関し、特に液体とは別の場所に、液体に接触して反応する液体反応剤を収容する液体容器に関するものである。
【背景技術】
【０００２】
昨今の健康ブームにより、化粧水等の液体に水素ガス等を含ませる需要が増えている。ところが、水素ガスを例にとると、水素ガスは容器から漏出し易く、化学的に不安定であるため、工場で水素ガスおよび液体を容器に充填して出荷し、店頭で販売しても、エンドユーザ（使用者）の手元に届く頃には容器内の水素ガスが少なくなっている。このため、十分な水素ガスを含む液体をエンドユーザに届けるための技術が求められている。
【０００３】
実用新案登録第３２０９４２５号公報（特許文献１）には、液体と水素発生剤とを別の場所に収容した液体容器が開示されている。水素発生剤は、例えばマグネシウムの粉末を含む粒であり、水と反応して水素を発生する。このとき生じる化学反応は、以下の通りである。
【０００４】
［化１］
Ｍｇ＋２Ｈ２Ｏ→Ｍｇ（ＯＨ）２＋Ｈ２
【０００５】
特許文献１に開示された液体容器では、筒状側壁の底部開口を閉じる底壁の内側底面に小室を設け、この小室内に水素発生剤を収容している。筒状側壁内には、小室内に水が浸入しないようにするために密封シールを介して小室を閉塞する内蓋が設けられている。内蓋は、液体容器の底壁を貫通するシャフトに連結されている。エンドユーザが液体容器内の液体を使用する際に、シャフトを上方に移動するように操作して内蓋を上方に移動させると、水が筒状側壁と内蓋との間の隙間を通り小室内に浸入して水素発生剤に接触する。その結果、水素が発生し、液体中に取り込まれる。
【０００６】
特許文献１に開示された液体容器によれば、エンドユーザの操作によって水素発生剤が容器中の液体に接触して水素ガスを発生する。したがって、エンドユーザが使用を開始するまで水素発生剤の変質がなく、エンドユーザは、使用開始時に水素発生剤を液体に接触させることにより、水素を多く含む液体を使用することができる。
【先行技術文献】
【特許文献】
【０００７】
【特許文献１】実用新案登録第３２０９４２５号公報
【考案の概要】
【考案が解決しようとする課題】
【０００８】
特許文献１に開示された液体容器では、水素発生剤を液体容器の底壁の内面に設けられた小室に収容している。液体容器内の使用開始前に水が小室内に浸入しないようにするために、小室を取り囲む底壁段部と、小室を上方から覆う内蓋との間に、十分なシール性を確保しなければならないが、シール性確保のための構造が複雑である。また、シール性が不十分だった場合には、水が小室内に浸入し、エンドユーザの使用開始前に水素が発生して液体中に取り込まれることになる。
【０００９】
さらに、特許文献１に開示された液体容器では、内蓋を上方に移動させるために、液体容器の底壁を貫通するシャフトを設け、このシャフトの上方端と内蓋とを連結し、シャフトの下方端にナットを取り付けている。このような内蓋を移動操作するための構造も複雑である。
【００１０】
本考案の目的は、水素発生剤のような液体反応剤を特別なシール構造を用いることなく液体と接触しないように収容し、なおかつ簡単な構造で使用者が使用開始直前に液体反応剤と液体とを接触させることができるようにした液体容器を提供することである。
【課題を解決するための手段】
【００１１】
本考案に従った液体容器は、液体容器本体と、第１キャップ構造体と、第２キャップ構造体とを備える。液体容器本体は、雄ネジ付き筒状頭部を上部に有し、内部に液体を収容する。第１キャップ構造体は、液体に接触して反応する液体反応剤を収容し、液体容器本体の筒状頭部の雄ネジに螺合する雌ネジを介して液体容器本体の上部に着脱可能に装着される。第２キャップ構造体は、液体を噴霧する機構を有し、液体容器本体の雄ネジに螺合する雌ネジを介して液体容器本体の上部に着脱可能に装着される。
【００１２】
本考案の好ましい実施形態では、第１キャップ構造体は、雌ネジを有する第１固定部と、第１固定部に上下動可能に保持される第１移動部とを備える。第１固定部は、液体容器本体の筒状頭部を下方から受け入れる円周溝と、円周溝よりも径方向内側で上下方向に延びる中央穴と、中央穴の下方端を閉塞する薄膜とを備える。
【００１３】
液体反応剤は、薄膜によって下方端が閉塞されている中央穴内に収容されている。第１移動部は、中央穴内を上下動可能な軸部と、中央穴よりも上方の位置で軸部に取り付けられた押込み操作部と、薄膜に下方に向く局所荷重を与えて薄膜を切り開くために軸部の下方端に設けられた尖鋭部とを備える。
【００１４】
第２キャップ構造体は、第１キャップ構造体が液体容器本体から取り外された後に液体容器本体に装着されるものである。この第２キャップ構造体は、好ましくは、雌ネジを有する第２固定部と、第２固定部に保持される第２移動部とを備える。第２移動部は、液体容器本体内の液体を吸引して外部に噴霧するノズルを備える。
【００１５】
一つの実施形態では、液体容器本体内に収容されている液体は化粧水である。また、液体反応剤は、例えば、水に接触して水素を発生する水素発生剤である。
【００１６】
本考案に従ったキャップ構造体は、雄ネジ付き筒状頭部を上部に有する液体容器本体の上部開口を閉塞するものである。このキャップ構造体は、雄ネジに螺合する雌ネジを有し、液体容器本体の上部に着脱可能に装着される固定部と、固定部に上下動可能に保持される移動部とを備える。
【００１７】
固定部は、液体容器本体の筒状頭部を下方から受け入れる円周溝と、円周溝よりも径方向内側で上下方向に延びる中央穴と、中央穴の下方端を閉塞する薄膜とを備える。液体に接触して反応する液体反応剤は、薄膜によって下方端が閉塞されている中央穴内に収容されている。
【００１８】
移動部は、中央穴内を上下動可能な軸部と、中央穴よりも上方の位置で軸部に取り付けられた押込み操作部と、薄膜に下方に向く局所荷重を与えて薄膜を切り開くために軸部の下方端に設けられた尖鋭部とを備える。液体反応剤は、例えば、水に接触して水素を発生する水素発生剤である。
【考案の効果】
【００１９】
上記の構成を備える本考案によれば、液体反応剤を特別なシール構造を用いることなく液体と接触しないように収容し、なおかつ簡単な構造で使用者が使用開始直前に液体反応剤と液体とを接触させることができる。
【図面の簡単な説明】
【００２０】
【図１】本考案に従った液体容器の３つの構成要素を分離して示す斜視図である。
【図２】液体容器を示す斜視図であり、（ａ）は使用者が使用を開始する前の状態の液体容器を示し、（ｂ）は使用者が使用を開始した後の状態の液体容器を示している。
【図３】使用開始前の状態の液体容器を示す断面図である。
【図４】使用を開始するための操作を行った状態の液体容器を示す断面図である。
【考案を実施するための形態】
【００２１】
図１は、本考案に係る液体容器を構成する３つの要素を示している。液体容器に収容する液体は、化粧水、美容水等であり、噴霧により顔や手等の肌に吹き付ける。
【００２２】
液体容器は、主要な構成要素として、液体容器本体１０と、第１キャップ構造体２０と、第２キャップ構造体３０とを備える。液体容器本体１０は、雄ネジ１１が形成された筒状頭部１２を上部に有している。液体容器本体１０の筒状頭部１２は上部開口１３を有し、液体容器本体１０の底部は閉鎖されている。
【００２３】
液体容器が店頭に陳列されている状態では、液体容器本体１０の上部に第１キャップ構造体２０が装着されており、第２キャップ構造体３０は標準付属品として液体容器本体１０および第１キャップ構造体とともに販売される。液体容器使用者が購入後、初めて使用する際の操作を行った後においては、第２キャップ構造体３０が液体容器本体１０の上部に装着され、第１キャップ構造体２０は使用済みのものとして廃棄される。
【００２４】
図２の（ａ）は使用者が使用を開始する前の液体容器を示しており、液体容器本体１０の上部に第１キャップ構造体２０が装着されている状態を示している。図２の（ｂ）は使用者が使用を開始した後の液体容器を示しており、液体容器本体１０の上部に第２キャップ構造体３０が装着されている状態を示している。
【００２５】
図３は、第２キャップ構造体２０が液体容器本体１０の上部に装着されている液体容器を示し、図４は、使用者が使用を開始するための操作を行った状態の液体容器を示している。
【００２６】
第１キャップ構造体２０は、液体に接触して反応する液体反応剤２８を収容し、液体容器本体１０の筒状頭部１２の雄ネジ１１に螺合する雌ネジ２２を介して液体容器本体１０の上部に着脱可能に装着される。
【００２７】
図示するように、第１キャップ構造体２０は、雌ネジ２２を有する第１固定部２１と、第１固定部２１に上下動可能に保持される第１移動部２３とを備える。第１固定部２１は、液体容器本体１０の筒状頭部１２を下方から受け入れる円周溝２５と、この円周溝２５よりも径方向内側で上下方向に延びる中央穴２６と、中央穴２６の下方端を閉塞する薄膜２７とを備える。
【００２８】
一つの実施形態では、第１固定部２１は、薄膜２７を含めて、例えば樹脂成型によって一体的に形成されている。他の実施形態として、薄膜２７を他の第１固定部２１とは別部材で用意し、接着剤等を介して第１固定部２１に接着させるようにしてもよい。薄膜２７は、上方から所定以上の局所荷重を受けたときに破れて切り裂かれるようにその強度及び厚みが選ばれている。
【００２９】
第１移動部２３は、第１固定部２１の中央穴２５内を上下動可能な軸部２３ａと、中央穴２５よりも上方の位置で軸部２３ａに取り付けられた円盤状の押込み操作部２３ｂと、第１固定部２１の薄膜２７に下方に向く局所荷重を与えて薄膜２７を切り開くために軸部２３ａの下方端に設けられた尖鋭部２４とを備える。
【００３０】
一つの実施形態では、中央穴２６は円柱形状であり、軸部２３ａは円筒形状である。尖鋭部２４は、軸部２３ａの下方端部分を斜めに切り落とした形状であり、先端が尖っている。軸部２３ａと中央穴２６とは摩擦係合しており、押込み操作部２３ｂに力を加えない状態では、軸部２３ａと中央穴２６との間の相対移動は生じない。
【００３１】
液体反応剤２８は、液体に接触して反応するものであり、一つの実施形態では水に接触して水素を発生する粒状の水素発生剤である。水素発生剤２８として考えられるものは、例えば、水素発生セラミックボールや、マグネシウの粉末を含む粒である。
【００３２】
液体反応剤２８は、水素発生剤に限定されるものではなく、例えば薬効成分や香り成分を含む粉粒体であって、液体に接触して液中に溶け込むようなものであってもよい。
【００３３】
図３に示すように、液体反応剤２８は、薄膜２７によって下端が閉塞されている中央穴２６内に収容されている。
【００３４】
第２キャップ構造体３０は、液体を噴霧する機構を有し、液体容器本体１０の雄ネジに螺合する雌ネジを介して液体容器本体１０の上部に装着されるものである。第２キャップ構造体３０は、雌ネジ３３を有する第２固定部３１と、第２固定部３１に保持される第２移動部３２とを備える。第２移動部３２は、液体容器本体１０内の液体を吸引して外部に噴霧するノズル３４を備える。
【００３５】
この種の液体噴霧機構としては種々のものが知られている。第２キャップ構造体３０の第２固定部３１が液体容器本体１０の筒状頭部１２に装着され得るものであれば、どのような液体噴霧機構を採用してもよい。
【００３６】
図３および図４を参照して、使用者が液体容器をどのように使用するのかについて説明する。
【００３７】
使用開始前の液体容器は、図３に示す状態である。水素発生剤のような液体反応剤２８は、薄膜２７によって確実に液体容器本体１０に収容されている液体１４から上方に離れて隔離されている。したがって、液体反応剤２８が収容されている小室内への水の浸入は生じない。
【００３８】
使用者が使用を開始する際には、第１移動部２３の押込み操作部２３ｂを下方に向けて押えこむ。すると、図４に示すように、第１移動部２３の軸部２３ａの下方端に位置する尖鋭部２４が薄膜２７を切り開き、液体反応剤２８が液体容器本体１０内の液中に落下する。液体反応剤２８が水素発生剤の場合、液中に落下して水素を発生する。
【００３９】
液中に水素等を多く含んだ状態で、第１キャップ構造体２０を液体容器本体１０の上部から取り外し、引き続いて、第２キャップ構造体３０を液体容器本体１０の上部に装着する。使用者は、第２キャップ構造体３０の第２移動部３２を操作することによって、水素等を多く含んだ液体をノズルから噴霧して肌に吹き付けることができる。
【００４０】
上述した実施形態では、液体容器本体１０と、第１キャップ構造体２０と、第２キャップ構造体３０とを一組にして販売する例を説明した。他の実施形態として、液体を収容している液体容器本体１０に通常のキャップを装着し、標準付属品として第１キャップ構造体２０および第２キャップ構造体３０をキャップ付き液体容器本体１０とともに販売するようにしてもよい。さらに他の実施形態として、液体反応剤２８を収容する第１キャップ構造体２０を単独で販売するようにしてもよい。
【００４１】
以上、図面を参照して本考案の一実施形態を説明したが、本考案の範囲は、図示した実施形態に限定されるものではなく、本考案と実質的に同一の範囲または均等の範囲内で行われた修正事項や改良事項をも含むものである。
【産業上の利用可能性】
【００４２】
本考案は、液体反応剤を液体から分離して収容する液体容器として有利に利用され得る。
【符号の説明】
【００４３】
１０  液体容器本体、１１  雄ネジ、１２  筒状頭部、１３  上部開口、１４  化粧水、２０  第１キャップ構造体、２１  第１固定部、２２  雌ネジ、２３  第１移動部、２３ａ  軸部、２３ｂ  押込み操作部、２４  尖鋭部、２５  円周溝、２６  中央穴、２７  薄膜、２８  液体反応剤、３０  第２キャップ構造体、３１  第２固定部、３２  第２移動部、３３  雌ネジ、３４  ノズル。
【図１】
0003229780.tif 000003
【図２】
0003229780.tif 000004
【図３】
0003229780.tif 000005
【図４】
0003229780.tif 000006